(57)【要約】  【課題】  映像に応じた様々な情報を提供する情報提供システム、制御装置、情報提供制御方法及び情報提供制御プログラムを提供する。  【解決手段】  テレビ受信機４００は、受信した放送信号に含まれる電子透かしＩＤが埋め込まれた映像データに応じた映像を表示し、携帯電話機５００がこの表示された映像をカメラ５０２によって撮影して撮影映像データを生成し、更に撮影映像データから電子透かしＩＤを抽出して自身の端末ＩＤとともに基地局装置６００へ送信すると、基地局装置６００がこれら電子透かしＩＤ及び端末ＩＤに基地局ＩＤを付加して制御サーバ１０２へ送信する。制御サーバ１０２は、基地局装置６００からの電子透かしＩＤ、端末ＩＤ及び基地局ＩＤに応じて要求情報を生成して情報提供サーバ７００へ送信し、情報提供サーバ７００は、この要求情報に応じた関連情報を携帯電話機５００へ送信する。【選択図】  図１
2005295136.tif 000002
【特許請求の範囲】
【請求項１】
制御装置、情報提供装置、映像表示装置及び端末装置を有し、前記端末装置及び前記映像表示装置の少なくともいずれかへ情報を提供する情報提供システムであって、
前記映像表示装置は、
映像識別情報が埋め込まれた映像データを取得する映像データ取得手段と、
前記取得された映像識別情報が埋め込まれた映像データに応じた映像を表示する映像表示手段とを備え、
前記端末装置は、
前記映像表示手段に表示された映像を撮影し、撮影映像データを生成する撮影手段と、
前記撮影手段により生成された撮影映像データから映像識別情報を抽出する抽出手段と、
前記抽出された映像識別情報と、自装置に対応する端末識別情報とを前記制御装置へ送信する第１の送信手段とを備え、
前記制御装置は、
前記端末装置からの映像識別情報及び端末識別情報を受信する受信手段と、
前記情報提供装置に対して、前記受信された映像識別情報及び端末識別情報に対応する情報の提供を要求する要求手段とを備え、
前記情報提供装置は、
前記制御装置からの要求に応じた情報を前記端末装置及び前記映像表示装置の少なくともいずれかに送信する第２の送信手段とを備える情報提供システム。
【請求項２】
制御装置、情報提供装置、映像表示装置及び端末装置を有し、前記端末装置及び前記映像表示装置の少なくともいずれかへ情報を提供する情報提供システムであって、
前記映像表示装置は、
映像識別情報が埋め込まれた映像データを取得する映像データ取得手段と、
前記取得された映像識別情報が埋め込まれた映像データに応じた映像を表示する映像表示手段を備え、
前記端末装置は、
前記映像表示手段に表示された映像を撮影し、撮影映像データを生成する撮影手段と、
前記撮影手段により生成された撮影映像データと、自装置に対応する端末識別情報とを前記制御装置へ送信する第１の送信手段とを備え、
前記制御装置は、
前記端末装置からの撮影映像データ及び端末識別情報を受信する受信手段と、
前記受信された撮影映像データから映像識別情報を抽出する抽出手段と、
前記情報提供装置に対して、前記抽出された映像識別情報及び前記受信された端末識別情報に対応する情報の提供を要求する要求手段とを備え、
前記情報提供装置は、
前記制御装置からの要求に応じた情報を前記端末装置及び前記映像表示装置の少なくともいずれかに送信する第２の送信手段とを備える情報提供システム。
【請求項３】
前記映像識別情報は、電子透かし情報である請求項１又は２に記載の情報提供システム。
【請求項４】
前記要求手段は、前記映像識別情報によって特定される映像データ、及び、前記端末識別情報によって特定される端末装置の利用者の属性に対応する情報の提供を要求する請求項１乃至３のいずれかに記載の情報提供システム。
【請求項５】
前記制御装置と前記端末装置との通信を中継する基地局装置を有し、
前記基地局装置は、
前記端末装置からの映像識別情報及び端末識別情報又は前記端末装置からの撮影映像デ
ータ及び端末識別情報に、自装置に対応する基地局識別情報を付加して前記制御装置へ送信する中継手段を備える請求項１乃至４のいずれかに情報提供システム。
【請求項６】
前記受信手段は、更に、前記基地局装置からの基地局識別情報を受信し、
前記要求手段は、更に、前記受信された基地局識別情報に対応する情報の提供を要求する請求項５に記載の情報提供システム。
【請求項７】
前記要求手段は、前記基地局識別情報によって特定される前記端末装置の位置に応じた情報の提供を要求する請求項６に記載の情報提供システム。
【請求項８】
端末装置及び映像表示装置の少なくともいずれかへ情報を提供する情報提供装置を制御する制御装置であって、
前記端末装置からの前記端末装置が前記映像表示装置の表示する映像を撮影して生成した撮影映像データから抽出した映像識別情報と、前記端末装置に対応する端末識別情報とを受信する受信手段と、
前記情報提供装置に対して、前記受信された映像識別情報及び端末識別情報に対応する情報の提供を要求する要求手段とを備える制御装置。
【請求項９】
端末装置及び映像表示装置の少なくともいずれかへ情報を提供する情報提供装置を制御する制御装置であって、
前記端末装置からの前記端末装置が前記映像表示装置の表示する映像を撮影して生成した撮影映像データと、前記端末装置に対応する端末識別情報とを受信する受信手段と、
前記受信された撮影映像データから映像識別情報を抽出する抽出手段と、
前記情報提供装置に対して、前記抽出された映像識別情報及び前記受信された端末識別情報に対応する情報の提供を要求する要求手段とを備える制御装置。
【請求項１０】
前記映像識別情報は、電子透かし情報である請求項８又は９に記載の制御装置。
【請求項１１】
前記要求手段は、前記映像識別情報によって特定される映像データ、及び、前記端末識別情報によって特定される端末装置の利用者の属性に対応する情報の提供を要求する請求項８乃至１０のいずれかに記載の制御装置。
【請求項１２】
前記受信手段は、更に、前記制御装置と前記端末装置との通信を中継する基地局装置からの前記基地局装置に対応する基地局識別情報を受信し、
前記要求手段は、更に、前記受信された基地局識別情報に対応する情報の提供を要求する請求項１１に記載の制御装置。
【請求項１３】
前記要求手段は、前記基地局識別情報によって特定される前記端末装置の位置に応じた情報の提供を要求する請求項１２に記載の制御装置。
【請求項１４】
端末装置及び映像表示装置の少なくともいずれかへ情報を提供する情報提供装置を制御する制御装置における情報提供制御方法であって、
前記端末装置からの前記端末装置が前記映像表示装置の表示する映像を撮影して生成した撮影映像データから抽出した映像識別情報と、前記端末装置に対応する端末識別情報とを受信する受信ステップと、
前記情報提供装置に対して、前記受信された映像識別情報及び端末識別情報に対応する情報の提供を要求する要求ステップとを備える情報提供制御方法。
【請求項１５】
端末装置及び映像表示装置の少なくともいずれかへ情報を提供する情報提供装置を制御する制御装置における情報提供制御方法であって、
前記端末装置からの前記端末装置が前記映像表示装置の表示する映像を撮影して生成した撮影映像データと、前記端末装置に対応する端末識別情報とを受信する受信ステップと、
前記受信された撮影映像データから映像識別情報を抽出する抽出ステップと、
前記情報提供装置に対して、前記抽出された映像識別情報及び前記受信された端末識別情報に対応する情報の提供を要求する要求ステップとを備える情報提供制御方法。
【請求項１６】
前記映像識別情報は、電子透かし情報である請求項１４又は１５に記載の情報提供制御方法。
【請求項１７】
前記要求ステップは、前記映像識別情報によって特定される映像データ、及び、前記端末識別情報によって特定される端末装置の利用者の属性に対応する情報の提供を要求する請求項１４乃至１６のいずれかに記載の情報提供制御方法。
【請求項１８】
前記受信ステップは、更に、前記制御装置と前記端末装置との通信を中継する基地局装置からの前記基地局装置に対応する基地局識別情報を受信し、
前記要求ステップは、更に、前記受信された基地局識別情報に対応する情報の提供を要求する請求項１７に記載の情報提供制御方法。
【請求項１９】
前記要求ステップは、前記基地局識別情報によって特定される前記端末装置の位置に応じた情報の提供を要求する請求項１８に記載の情報提供制御方法。
【請求項２０】
端末装置及び映像表示装置の少なくともいずれかへ情報を提供する情報提供装置を制御する制御装置において実行される情報提供制御プログラムであって、
前記端末装置からの前記端末装置が前記映像表示装置の表示する映像を撮影して生成した撮影映像データから抽出した映像識別情報と、前記端末装置に対応する端末識別情報とを受信する受信ステップと、
前記情報提供装置に対して、前記受信された映像識別情報及び端末識別情報に対応する情報の提供を要求する要求ステップとを備える情報提供制御プログラム。
【請求項２１】
端末装置及び映像表示装置の少なくともいずれかへ情報を提供する情報提供装置を制御する制御装置において実行される情報提供制御プログラムであって、
前記端末装置からの前記端末装置が前記映像表示装置の表示する映像を撮影して生成した撮影映像データと、前記端末装置に対応する端末識別情報とを受信する受信ステップと、
前記受信された撮影映像データから映像識別情報を抽出する抽出ステップと、
前記情報提供装置に対して、前記抽出された映像識別情報及び前記受信された端末識別情報に対応する情報の提供を要求する要求ステップとを備える情報提供制御プログラム。
【請求項２２】
前記映像識別情報は、電子透かし情報である請求項２０又は２１に記載の情報提供制御プログラム。
【請求項２３】
前記要求ステップは、前記映像識別情報によって特定される映像データ、及び、前記端末識別情報によって特定される端末装置の利用者の属性に対応する情報の提供を要求する請求項２０乃至２２のいずれかに記載の情報提供制御プログラム。
【請求項２４】
前記受信ステップは、更に、前記制御装置と前記端末装置との通信を中継する基地局装置からの前記基地局装置に対応する基地局識別情報を受信し、
前記要求ステップは、更に、前記受信された基地局識別情報に対応する情報の提供を要求する請求項２３に記載の情報提供制御プログラム。
【請求項２５】
前記要求ステップは、前記基地局識別情報によって特定される前記端末装置の位置に応じた情報の提供を要求する請求項２４に記載の情報提供制御プログラム。
【発明の詳細な説明】
【技術分野】
【０００１】
本発明は、端末装置又は映像表示装置へ情報を提供する情報提供システム、端末装置又は映像表示装置へ情報を提供する情報提供装置を制御する制御装置、制御装置における情報提供制御方法、及び制御装置において実行される情報提供制御プログラムに関する。
【背景技術】
【０００２】
移動通信サービスの急速な普及に伴い、携帯電話機等の端末装置へ様々な情報を提供する様々な情報提供システムが提案されている。このような情報提供システムは、利用者の所有する端末装置の位置等に応じて、その端末装置へ様々な情報を提供する（例えば、特許文献１）。
【特許文献１】特開２００３−２０９８８６号公報
【発明の開示】
【発明が解決しようとする課題】
【０００３】
ところで、近年、デジタル放送サービス等の開始に伴い、様々な映像コンテンツが提供されるようになってきており、映像に応じた様々な情報を提供することの重要性も増してきている。しかしながら、前述の従来の携帯電話機等の端末装置を用いた情報提供システムでは、このような映像に応じた様々な情報を提供するといった態様には適していなかった。
【０００４】
本発明は従来の問題を解決するためになされたもので、映像に応じた様々な情報を提供する情報提供システム、制御装置、情報提供制御方法及び情報提供制御プログラムを提供することを目的とする。
【課題を解決するための手段】
【０００５】
本発明の情報提供システムは、制御装置、情報提供装置、映像表示装置及び端末装置を有し、前記端末装置及び前記映像表示装置の少なくともいずれかへ情報を提供するものであって、前記映像表示装置は、映像識別情報が埋め込まれた映像データを取得する映像データ取得手段と、前記取得された映像識別情報が埋め込まれた映像データに応じた映像を表示する映像表示手段とを備え、前記端末装置は、前記映像表示手段に表示された映像を撮影し、撮影映像データを生成する撮影手段と、前記撮影手段により生成された撮影映像データから映像識別情報を抽出する抽出手段と、前記抽出された映像識別情報と、自装置に対応する端末識別情報とを前記制御装置へ送信する第１の送信手段とを備え、前記制御装置は、前記端末装置からの映像識別情報及び端末識別情報を受信する受信手段と、前記情報提供装置に対して、前記受信された映像識別情報及び端末識別情報に対応する情報の提供を要求する要求手段とを備え、前記情報提供装置は、前記制御装置からの要求に応じた情報を前記端末装置及び前記映像表示装置の少なくともいずれかに送信する第２の送信手段とを備える。
【０００６】
この構成により、映像表示装置に表示された映像は、映像識別情報により特定され、更に、その特定された映像に応じた情報が端末装置や映像表示装置へ送られる。従って、この情報提供システムにより、映像に応じた様々な情報を提供することが可能となる。
【０００７】
また、本発明の情報提供システムは、制御装置、情報提供装置、映像表示装置及び端末装置を有し、前記端末装置及び前記映像表示装置の少なくともいずれかへ情報を提供するものであって、前記映像表示装置は、映像識別情報が埋め込まれた映像データを取得する
映像データ取得手段と、前記取得された映像識別情報が埋め込まれた映像データに応じた映像を表示する映像表示手段を備え、前記端末装置は、前記映像表示手段に表示された映像を撮影し、撮影映像データを生成する撮影手段と、前記撮影手段により生成された撮影映像データと、自装置に対応する端末識別情報とを前記制御装置へ送信する第１の送信手段とを備え、前記制御装置は、前記端末装置からの撮影映像データ及び端末識別情報を受信する受信手段と、前記受信された撮影映像データから映像識別情報を抽出する抽出手段と、前記情報提供装置に対して、前記抽出された映像識別情報及び前記受信された端末識別情報に対応する情報の提供を要求する要求手段とを備え、前記情報提供装置は、前記制御装置からの要求に応じた情報を前記端末装置及び前記映像表示装置の少なくともいずれかに送信する第２の送信手段とを備える。
【０００８】
この構成により、前述と同様、映像表示装置に表示された映像は、映像識別情報により特定され、更に、その特定された映像に応じた情報が端末装置や映像表示装置へ送られる。従って、この情報提供システムにより、映像に応じた様々な情報を提供することが可能となる。
【０００９】
また、本発明の情報提供システムは、前記映像識別情報が、電子透かし情報である。
映像識別情報が電子透かし情報であることにより、利用者は、映像表示装置に表示された映像から映像識別情報を知覚することができないため、映像識別情報が映像データに埋め込まれることによる映像の質の低下が防止される。
【００１０】
また、本発明の情報提供システムは、前記要求手段が、前記映像識別情報によって特定される映像データ、及び、前記端末識別情報によって特定される端末装置の利用者の属性に対応する情報の提供を要求する。
【００１１】
この構成により、映像データ及び端末装置の利用者の属性に応じたより適切な情報提供が可能となる。
また、本発明の情報提供システムは、前記制御装置と前記端末装置との通信を中継する基地局装置を有し、前記基地局装置は、前記端末装置からの映像識別情報及び端末識別情報又は前記端末装置からの撮影映像データ及び端末識別情報に、自装置に対応する基地局識別情報を付加して前記制御装置へ送信する中継手段を備える。
【００１２】
また、本発明の情報提供システムは、前記受信手段が、更に、前記基地局装置からの基地局識別情報を受信し、前記要求手段が、更に、前記受信された基地局識別情報に対応する情報の提供を要求する。
【００１３】
また、本発明の情報提供システムは、前記要求手段が、前記基地局識別情報によって特定される前記端末装置の位置に応じた情報の提供を要求する。
この構成により、地域が限定される情報の提供等、端末装置の位置に応じた情報の提供が可能となる。
【００１４】
また、本発明の制御装置は、端末装置及び映像表示装置の少なくともいずれかへ情報を提供する情報提供装置を制御するものであって、前記端末装置からの前記端末装置が前記映像表示装置の表示する映像を撮影して生成した撮影映像データから抽出した映像識別情報と、前記端末装置に対応する端末識別情報とを受信する受信手段と、前記情報提供装置に対して、前記受信された映像識別情報及び端末識別情報に対応する情報の提供を要求する要求手段とを備える。
【００１５】
また、本発明の制御装置は、端末装置及び映像表示装置の少なくともいずれかへ情報を提供する情報提供装置を制御するものであって、前記端末装置からの前記端末装置が前記
映像表示装置の表示する映像を撮影して生成した撮影映像データと、前記端末装置に対応する端末識別情報とを受信する受信手段と、前記受信された撮影映像データから映像識別情報を抽出する抽出手段と、前記情報提供装置に対して、前記抽出された映像識別情報及び前記受信された端末識別情報に対応する情報の提供を要求する要求手段とを備える。
【００１６】
また、本発明の制御装置は、前記映像識別情報が、電子透かし情報である。
また、本発明の制御装置は、前記要求手段が、前記映像識別情報によって特定される映像データ、及び、前記端末識別情報によって特定される端末装置の利用者の属性に対応する情報の提供を要求する。
【００１７】
また、本発明の制御装置は、前記受信手段が、更に、前記制御装置と前記端末装置との通信を中継する基地局装置からの前記基地局装置に対応する基地局識別情報を受信し、前記要求手段が、更に、前記受信された基地局識別情報に対応する情報の提供を要求する。
【００１８】
また、本発明の制御装置は、前記要求手段が、前記基地局識別情報によって特定される前記端末装置の位置に応じた情報の提供を要求する。
また、本発明の情報提供制御方法は、端末装置及び映像表示装置の少なくともいずれかへ情報を提供する情報提供装置を制御する制御装置におけるものであって、前記端末装置からの前記端末装置が前記映像表示装置の表示する映像を撮影して生成した撮影映像データから抽出した映像識別情報と、前記端末装置に対応する端末識別情報とを受信する受信ステップと、前記情報提供装置に対して、前記受信された映像識別情報及び端末識別情報に対応する情報の提供を要求する要求ステップとを備える。
【００１９】
また、本発明の情報提供制御方法は、端末装置及び映像表示装置の少なくともいずれかへ情報を提供する情報提供装置を制御する制御装置におけるものであって、前記端末装置からの前記端末装置が前記映像表示装置の表示する映像を撮影して生成した撮影映像データと、前記端末装置に対応する端末識別情報とを受信する受信ステップと、前記受信された撮影映像データから映像識別情報を抽出する抽出ステップと、前記情報提供装置に対して、前記抽出された映像識別情報及び前記受信された端末識別情報に対応する情報の提供を要求する要求ステップとを備える。
【００２０】
また、本発明の情報提供制御方法は、前記映像識別情報が、電子透かし情報である。
また、本発明の情報提供制御方法は、前記要求ステップが、前記映像識別情報によって特定される映像データ、及び、前記端末識別情報によって特定される端末装置の利用者の属性に対応する情報の提供を要求する。
【００２１】
また、本発明の情報提供制御方法は、前記受信ステップが、更に、前記制御装置と前記端末装置との通信を中継する基地局装置からの前記基地局装置に対応する基地局識別情報を受信し、前記要求ステップが、更に、前記受信された基地局識別情報に対応する情報の提供を要求する。
【００２２】
また、本発明の情報提供制御方法は、前記要求ステップが、前記基地局識別情報によって特定される前記端末装置の位置に応じた情報の提供を要求する。
また、本発明の情報提供制御プログラムは、端末装置及び映像表示装置の少なくともいずれかへ情報を提供する情報提供装置を制御する制御装置において実行されるものであって、前記端末装置からの前記端末装置が前記映像表示装置の表示する映像を撮影して生成した撮影映像データから抽出した映像識別情報と、前記端末装置に対応する端末識別情報とを受信する受信ステップと、前記情報提供装置に対して、前記受信された映像識別情報及び端末識別情報に対応する情報の提供を要求する要求ステップとを備える。
【００２３】
また、本発明の情報提供制御プログラムは、端末装置及び映像表示装置の少なくともいずれかへ情報を提供する情報提供装置を制御する制御装置において実行されるものであって、前記端末装置からの前記端末装置が前記映像表示装置の表示する映像を撮影して生成した撮影映像データと、前記端末装置に対応する端末識別情報とを受信する受信ステップと、前記受信された撮影映像データから映像識別情報を抽出する抽出ステップと、前記情報提供装置に対して、前記抽出された映像識別情報及び前記受信された端末識別情報に対応する情報の提供を要求する要求ステップとを備える。
【００２４】
また、本発明の情報提供制御プログラムは、前記映像識別情報が、電子透かし情報である。
また、本発明の情報提供制御プログラムは、前記要求ステップが、前記映像識別情報によって特定される映像データ、及び、前記端末識別情報によって特定される端末装置の利用者の属性に対応する情報の提供を要求する。
【００２５】
また、本発明の情報提供制御プログラムは、前記受信ステップが、更に、前記制御装置と前記端末装置との通信を中継する基地局装置からの前記基地局装置に対応する基地局識別情報を受信し、前記要求ステップが、更に、前記受信された基地局識別情報に対応する情報の提供を要求する。
【００２６】
また、本発明の情報提供制御プログラムは、前記要求ステップが、前記基地局識別情報によって特定される前記端末装置の位置に応じた情報の提供を要求する。
【発明の効果】
【００２７】
本発明は、映像表示装置に表示された映像を映像識別情報により特定し、更に、その特定した映像に応じた情報を端末装置や映像表示装置へ送る。従って、映像に応じた様々な情報を提供することが可能となる。
【発明を実施するための最良の形態】
【００２８】
以下、本発明の実施の形態の情報提供システムについて、図面を用いて説明する。
まず、第１実施例について説明する。本発明の第１実施例における情報提供システムのブロック図を図１に示す。図１に示す情報提供システムは、情報提供サービスを行うものであり、制御サーバ１０２、端末ＩＤ管理データベース（ＤＢ）１０４、顧客管理ＤＢ１０６、透かしＩＤ管理ＤＢ１０８及び基地局ＩＤ管理ＤＢ１１０によって構成される制御システム１００と、電子透かし埋め込みサーバ２００と、放送装置３００と、テレビ受信機４００と、カメラ５０２を内蔵する携帯電話機５００と、基地局装置６００と、情報提供サーバ７００と、制御システム１００、電子透かし埋め込みサーバ２００、放送装置３００及び情報提供サーバ７００を接続する通信ネットワーク８００と、制御システム１００、基地局装置６００及び情報提供サーバ７００を接続する移動通信ネットワーク９００とを備える。
【００２９】
ここで、通信ネットワーク８００は、インターネット等の公衆データ通信ネットワークである。ただし、通信ネットワーク８００としては、プライベートな専用回線、あるいは、公衆回線上のVPN(Virtual Private Network)等を使用することもできる。移動通信ネットワーク９００は、移動通信サービス会社が管理するネットワークであり、複数の基地局６００を接続するネットワークである。なお、図１においては、制御システム１００は、通信ネットワーク８００と移動通信ネットワーク９００の双方に接続されているが、本発明の実施はこのような構成に限定されるものではない。例えば、通信ネットワーク８００と移動通信ネットワーク９００とを接続するルータまたはゲートウェイ装置等の通信装置を設けてもよい。その場合には、制御システム１００は、通信ネットワーク８００を介して移動通信ネットワーク９００に接続するようにしてもよい。
【００３０】
この情報提供システムでは、テレビ受信機４００が、制御システム１００内の制御サーバ１０２によって発行された電子透かし情報が埋め込まれた映像データを含む放送信号に基づく映像を表示し、携帯電話機５００内のカメラ５０２がその表示された映像を撮影すると、携帯電話機５００に対して、その撮影された映像に関連する情報が送られる。
【００３１】
以上のように構成された情報提供システムについて、その動作を説明する。第１実施例における情報提供システムの動作のフローチャートを図２に示す。
制御システム１００内の制御サーバ１０２は、電子透かしＩＤを、通信ネットワーク８００を介して電子透かし埋め込みサーバ２００へ送信する（Ｓ１０１）。
【００３２】
透かしＩＤ管理ＤＢ１０８の構成例を図３に示す。図３に示す透かしＩＤ管理ＤＢ１０８は、制御サーバ１０２が電子透かし埋め込みサーバ２００に対して送信した電子透かしＩＤによって構成される。電子透かしＩＤは、映像データに埋め込まれる電子透かし情報であり、その映像データを識別するための情報として用いられる。制御サーバ１０２は、電子透かし情報としての電子透かしＩＤを電子透かし埋め込みサーバ２００へ送信した時に、その送信した電子透かしＩＤを透かしＩＤ管理ＤＢ１０８に登録する。すなわち、透かしＩＤ管理ＤＢ１０８には、電子透かし埋め込みサーバ２００へ送信済みの電子透かしＩＤが登録されることになる。その後、制御サーバ１０２は、電子透かしＩＤを電子透かし埋め込みサーバ２００へ送信する際、透かしＩＤ管理ＤＢ１０８に登録されていない電子透かしＩＤを送信する。
【００３３】
ここで、電子透かし情報あるいは、電子透かしＩＤでいう、電子透かしとは、画像や音楽などのデジタルコンテンツに情報を埋め込む技術をいう。また、電子透かしには、埋め込んだ情報自体をその情報のユーザが認識できる可視透かしと、認識できない不可視透かしがある。電子透かし技術は、主としてデータの標本値に埋め込む技術と、周波数成分に埋め込む技術の2通りが知られている。本実施の形態では、電子透かしを埋め込む技術そ
のものには限定されないので、その説明は省略する。
【００３４】
なお、電子透かしＩＤは、本情報提供システムに参画する組織単位で区分するようにしてもよい。例えば、映像データを制作するＡ会社については、透かしＩＤとしてＡＢＣ０００００００〜ＡＢＣ１９９９９９９を割り当て、同業のＢ社については、ＡＢＣ２００００００〜ＡＢＣ２９９９９９９を割り当てる等である。また、テレビコマーシャルの放送を依頼するメーカＣ社については、ＥＤＦ０００００００〜ＥＤＦ１９９９９９９を割り当て、同業のＤ社については、ＥＤＦ２００００００〜ＥＤＦ２９９９９９９を割り当てる等である。なお、電子透かしＩＤとして、数字だけを使用するようにしても構わない。このような各組織に割り当てられた電子透かしＩＤの範囲は、その組織を識別する識別情報とともに不図示のデータベース（例えば、参画企業管理データベース）に格納しておけばよい。
【００３５】
制御サーバ１０２は、透かしＩＤ管理ＤＢ１０８と参画企業管理データベースとを参照し、発行対象の組織に割り当てが許容された範囲で、透かしＩＤ管理ＤＢ１０８に未登録の電子透かしＩＤを発行し、電子透かし埋め込みサーバ２００に登録するようにすればよい。なお、透かしＩＤ管理ＤＢ１０８と参画企業管理データベースとを組み合わせた構成としてもよい。すなわち、各組織を識別する識別情報ごとに透かしＩＤ管理ＤＢ１０８のレコードを区分すればよい。そして、各組織を識別する識別情報をキーにして、その組織に発行可能な透かしＩＤの範囲と、発行済みの透かしＩＤを格納するようにすればよい。
【００３６】
電子透かし埋め込みサーバ２００は、制御サーバ１０２からの電子透かしＩＤを受信すると、その電子透かしＩＤを放送番組やコマーシャル等の映像データに埋め込む（Ｓ１０
２）。更に、電子透かし埋め込みサーバ２００は、電子透かしＩＤが埋め込まれた映像データを、通信ネットワーク８００を介して、放送装置３００へ送信する（Ｓ１０３）。
【００３７】
なお、より具体的な手順としては、電子透かし埋め込みサーバ２００が電子透かしを組み込むべき放送番組やコマーシャル等に関して、依頼元の組織を認識するようにすればよい。例えば、電子透かし埋め込みサーバ２００は、放送番組やコマーシャル等のコンテンツと、そのコンテンツの制作会社、そのコンテンツの提供会社等を対応付けて管理するデータベース（例えば、コンテンツ管理データベースという）を参照するようにすればよい。そして、電子透かし埋め込みサーバ２００は、そのコンテンツ管理データベースを参照し、その制作会社または提供会社等の識別情報を読み出し、その識別情報を指定して制御サーバ１０２にアクセスすればよい。制御サーバ１０２は、指定された制作会社または提供会社等の識別情報にしたがって、透かしＩＤを発行すればよい。
【００３８】
放送装置３００は、例えば放送局内に構成される。この放送装置３００は、電子透かし埋め込みサーバ２００からの電子透かしＩＤが埋め込まれた映像データを受信すると、その映像データを含んだ所定の周波数帯域の放送信号を生成して送出する（Ｓ１０５）。
【００３９】
テレビ受信機４００は、放送装置３００からの放送信号を受信すると、その放送信号に含まれる映像データ、すなわち、電子透かしＩＤが埋め込まれた映像データに応じた映像を表示する（Ｓ１０６）。
【００４０】
携帯電話機５００の利用者は、この映像を見て、関連する情報を取得したいと考えた場合、携帯電話機５００内のカメラ５０２に映像を撮影させるべく、携帯電話機５００を操作する。携帯電話機５００内のカメラ５０２は、この利用者の操作に応じて、テレビ受信機４００に表示された映像を撮影し、映像データ（撮影映像データ）を生成する（Ｓ１０７）。次に、携帯電話機５００は、生成された撮影映像データから電子透かしＩＤを抽出する（Ｓ１０８）。ここで抽出される電子透かしＩＤは、放送受信機４００が受信した放送信号に含まれる映像データに埋め込まれた電子透かしＩＤ、すなわち、制御システム１００内の制御サーバ１０２が電子透かし埋め込みサーバ２００へ送信し、電子透かし埋め込みサーバ２００が映像データに埋め込んだ電子透かしＩＤと同一のものである。
【００４１】
更に、携帯電話機５００は、抽出した電子透かしＩＤと、自身の識別情報である端末ＩＤとを、予め定められた送信先である制御システム１００内の制御サーバ１０２へ送信すべく、移動通信により基地局装置６００へ送信する（Ｓ１０９）。端末ＩＤは、例えば携帯電話機５００に付与された電話番号である。
【００４２】
基地局装置６００は、携帯電話機５００からの電子透かしＩＤ及び端末ＩＤを受信すると、これらに自身の識別情報である基地局ＩＤを付加し、移動通信ネットワーク９００を介して制御システム１００内の制御サーバ１０２へ送信する（Ｓ１１０）。
【００４３】
制御システム１００内の制御サーバ１０２は、基地局装置６００からの電子透かしＩＤ、端末ＩＤ及び基地局ＩＤを受信すると、情報提供サーバ７００に対して、携帯電話機５００内のカメラ５０２が撮影した映像に関連する情報の提供を要求するための要求情報を生成する（Ｓ１１１）。
【００４４】
要求情報の生成には、端末ＩＤ管理ＤＢ１０４、顧客管理ＤＢ１０６及び基地局ＩＤ管理ＤＢ１１０内の情報が用いられる。
端末ＩＤ管理ＤＢ１０４の構成例を図４に示す。図４に示す端末ＩＤ管理ＤＢ１０４は、情報提供サービスを受けることが可能な携帯電話機５００の端末ＩＤによって構成される。
【００４５】
顧客管理ＤＢ１０６の構成例を図５に示す。図５に示す顧客管理ＤＢ１０６は、情報提供サービスを受けることが可能な携帯電話機５００の端末ＩＤと、その情報提供サービスを受けることが可能な携帯電話機５００の利用者（所有者）の属性情報である氏名、住所、年齢、性別を含んだ顧客情報とによって構成される。
【００４６】
基地局ＩＤ管理ＤＢ１１０の構成例を図６に示す。図６に示す基地局ＩＤ管理ＤＢ１１０は、基地局装置６００の基地局ＩＤと、その基地局装置６００の通信可能なエリア、換言すれば、その基地局装置６００との間で通信を行うことができる携帯電話機５００が存在する地域を識別するための地域コードとによって構成される。
【００４７】
具体的には、制御サーバ１０２は、以下の手順により要求情報を生成する。すなわち、制御サーバ１０２は、まず、受信した端末ＩＤをキーとして端末ＩＤ管理ＤＢ１０４を検索し、その受信した端末ＩＤが端末ＩＤ管理ＤＢ１０４に含まれているか否かを判定する。制御サーバ１０２によって受信された端末ＩＤが端末ＩＤ管理ＤＢ１０４に含まれている場合には、その端末ＩＤを有する携帯電話機５００が情報提供サービスを受けることが可能であることを示す。この場合、制御サーバ１０２は、更に、受信した端末ＩＤをキーとして顧客管理ＤＢ１０６を検索し、その受信した端末ＩＤに対応する顧客情報を顧客管理ＤＢ１０６から抽出する。ここで抽出される顧客情報は、情報提供サービスを受けることが可能な携帯電話機５００の利用者に関する属性情報を含むものである。
【００４８】
次に、制御サーバ１０２は、受信した基地局ＩＤをキーとして基地局ＩＤ管理ＤＢ１１０を検索し、その受信した基地局ＩＤに対応する地域コードを基地局ＩＤ管理ＤＢ１１０から抽出する。ここで抽出される地域コードは、受信した端末ＩＤを有する携帯電話機５００が存在する地域を識別するためのものである。
【００４９】
更に、制御サーバ１０２は、受信した端末ＩＤ及び電子透かしＩＤと、顧客管理ＤＢ１０６から抽出した顧客情報と、基地局ＩＤ管理ＤＢ１１０から抽出した地域コードとを含んだ要求情報を生成する。要求情報の構成例を図７に示す。
【００５０】
制御サーバ１０２は、このようにして生成した要求情報を、通信ネットワーク８００を介して情報提供サーバ７００へ送信する（Ｓ１１２）。
情報提供サーバ７００は、制御サーバ１０２からの要求情報を受信すると、予め保持する関連情報の中から要求情報に対応する関連情報を抽出する（Ｓ１１３）。
【００５１】
具体的には、情報提供サーバ７００は、予め、電子透かし埋め込みサーバ２００において映像データに埋め込まれた電子透かしＩＤ毎、すなわち電子透かし埋め込みサーバ２００が保持し、放送装置３００へ出力する映像データ毎に分類された関連情報を保持する。この映像データ毎に分類された関連情報は、更に、携帯電話機５００の利用者の顧客情報を構成する各属性情報毎及び基地局装置６００に対応する地域コード毎に分類されている。そして、情報提供サーバ７００は、要求情報を受信した場合には、保持している関連情報の中から受信した要求情報内の顧客情報、電子透かしＩＤ及び地域コードによって一意に特定される関連情報を抽出する。ここで特定される関連情報は、要求情報内の電子透かしＩＤが埋め込まれた映像データ、換言すれば、携帯電話機５００の利用者が見た映像に関連し、且つ、その携帯電話機５００の利用者の各属性情報及び携帯電話機５００が存在する地域に対応する情報である。例えば、携帯電話機５００の利用者が男性、３０歳であり、その携帯電話機５００が存在する地域が東京であった場合、情報提供サーバ７００は、東京に在住する３０歳の男性向けの情報として適切な商品情報等を関連情報として抽出する。
【００５２】
更に、情報提供サーバ７００は、抽出した関連情報を、受信した要求情報内の端末ＩＤにより特定される携帯電話機５００に対して、移動通信ネットワーク９００及び基地局装置６００を介して送信する（Ｓ１１４）。
【００５３】
携帯電話機５００は、情報提供サーバ７００からの関連情報を受信すると、その関連情報を内蔵するディスプレイ（図示せず）に表示する等により、関連情報を外部に出力する（Ｓ１１５）。これにより、携帯電話機５００の利用者は、テレビ受信機４００に表示された映像に関連する情報を取得することができる。
【００５４】
このように、本実施例における情報提供システムでは、テレビ受信機４００が受信した放送信号に含まれる電子透かしＩＤが埋め込まれた映像データに応じた映像を表示し、携帯電話機５００がこの表示された映像をカメラ５０２によって撮影して撮影映像データを生成し、更に撮影映像データから電子透かしＩＤを抽出して自身の端末ＩＤとともに基地局装置６００へ送信すると、基地局装置６００がこれら電子透かしＩＤ及び端末ＩＤに基地局ＩＤを付加して制御サーバ１０２へ送信する。そして、制御サーバ１０２は、基地局装置６００からの電子透かしＩＤ、端末ＩＤ及び基地局ＩＤに応じて要求情報を生成して情報提供サーバ７００へ送信し、情報提供サーバ７００は、この要求情報に基づいて特定した関連情報を携帯電話機５００へ送信して、携帯電話機５００がこの関連情報を外部出力する。すなわち、テレビ受信機４００に表示された映像は、電子透かしＩＤにより特定され、更に、その特定された映像に関連する情報が携帯電話機５００へ送られる。従って、携帯電話機５００の利用者は、テレビ受信機４００に表示された映像に関連する情報を取得することができ、映像に応じた様々な情報提供が可能となる。
【００５５】
また、映像データに、その映像データを識別するための情報として電子透かし情報である電子透かしＩＤが埋め込まれることにより、携帯電話機５００の利用者は、テレビ受信機４００に表示された映像から電子透かしＩＤを知覚することができないため、表示される映像の質の低下が防止される。
【００５６】
また、要求情報に顧客情報が含まれることにより、携帯電話機５００の利用者の属性に応じたより適切な情報提供が可能となり、更に、要求情報に基地局ＩＤが含まれることにより、携帯電話機５００が存在する地域に応じた情報提供が可能となる。
【００５７】
次に、第２実施例について説明する。本発明の第２実施例における情報提供システムのブロック図を図８に示す。図８に示す情報提供システムは、図１に示す第１実施例における情報提供システムと比較すると、新たにホームサーバ４０２を備える。このホームサーバ４０２は、通信ネットワーク８００に接続される。そして、テレビ受信機４００は、ホームサーバ４０２に接続される。
【００５８】
以上のように構成された情報提供システムについて、その動作を説明する。第２実施例における情報提供システムの動作のフローチャートを図９に示す。
Ｓ２０１乃至Ｓ２１０の動作は、図２に示す第１実施例におけるＳ１０１乃至Ｓ１１０の動作と同様である。すなわち、制御システム１００内の制御サーバ１０２は、電子透かしＩＤを電子透かし埋め込みサーバ２００へ送信し（Ｓ２０１）、電子透かし埋め込みサーバ２００は、受信した電子透かしＩＤを映像データに埋め込み（Ｓ２０２）、その電子透かしＩＤが埋め込まれた映像データを放送装置３００へ送信する（Ｓ２０３）。そして、放送装置３００は、受信した電子透かしＩＤが埋め込まれた映像データを含んだ放送信号を生成して送出する（Ｓ２０５）。テレビ受信機４００は、受信した放送信号に含まれる、電子透かしＩＤが埋め込まれた映像データに応じた映像を表示する（Ｓ２０６）。
【００５９】
携帯電話機５００内のカメラ５０２は、利用者の操作に応じて、テレビ受信機４００に
表示された映像を撮影して撮影映像データを生成し（Ｓ２０７）、携帯電話機５００は、生成された撮影映像データから電子透かしＩＤを抽出して（Ｓ２０８）。自身の端末ＩＤとともに、基地局装置６００へ送信する（Ｓ２０９）。基地局装置６００は、携帯電話機５００からの電子透かしＩＤ及び端末ＩＤに自身の基地局ＩＤを付加して、制御システム１００内の制御サーバ１０２へ送信する（Ｓ２１０）。
【００６０】
制御システム１００内の制御サーバ１０２は、基地局装置６００からの電子透かしＩＤ、端末ＩＤ及び基地局ＩＤを受信すると、要求情報を生成する（Ｓ２１１）。
要求情報の生成には、第１実施例と同様、端末ＩＤ管理ＤＢ１０４、顧客管理ＤＢ１０６及び基地局ＩＤ管理ＤＢ１１０内の情報が用いられる。これらのうち、端末ＩＤ管理ＤＢ１０４及び基地局ＩＤ管理ＤＢ１１０の構成は、図４及び図６と同様である。一方、顧客管理ＤＢ１０６の構成は、図１０に示すように、図５と比較すると、新たにホームサーバ４０２のアドレス（ホームサーバアドレス）が含まれる。このホームサーバアドレスは、対応する端末ＩＤを有する携帯電話機５００の利用者が所有するホームサーバ４０２の識別情報であり、例えばＩＰアドレスである。
【００６１】
具体的には、制御サーバ１０２は、まず、受信した端末ＩＤをキーとして端末ＩＤ管理ＤＢ１０４を検索し、その受信した端末ＩＤが端末ＩＤ管理ＤＢ１０４に含まれているか否かを判定する。そして、制御サーバ１０２によって受信された端末ＩＤが端末ＩＤ管理ＤＢ１０４に含まれている場合には、制御サーバ１０２は、更に、受信した端末ＩＤをキーとして顧客管理ＤＢ１０６を検索し、その受信した端末ＩＤに対応する顧客情報とホームサーバアドレスとを顧客管理ＤＢ１０６から抽出する。次に、制御サーバ１０２は、受信した基地局ＩＤをキーとして基地局ＩＤ管理ＤＢ１１０を検索し、その受信した基地局ＩＤに対応する地域コードを基地局ＩＤ管理ＤＢ１１０から抽出する。更に、制御サーバ１０２は、受信した電子透かしＩＤと、顧客管理ＤＢ１０６から抽出した顧客情報及びホームサーバアドレスと、基地局ＩＤ管理ＤＢ１１０から抽出した地域コードとを含んだ要求情報を生成する。要求情報の構成例を図１１に示す。
【００６２】
制御サーバ１０２は、このようにして生成した要求情報を、通信ネットワーク８００を介して情報提供サーバ７００へ送信する（Ｓ２１２）。
情報提供サーバ７００は、制御サーバ１０２からの要求情報を受信すると、予め保持する関連情報の中から要求情報に対応する関連情報を抽出する（Ｓ２１３）。更に、情報提供サーバ７００は、抽出した関連情報を、受信した要求情報内のホームサーバアドレスにより特定されるホームサーバ４０２に対して、通信ネットワーク８００を介して送信する（Ｓ２１４）。
【００６３】
ホームサーバ４０２は、情報提供サーバ７００からの関連情報を受信すると、所定のタイミングでテレビ受信機４００へ出力する。テレビ受信機４００は、この関連情報を入力すると、内蔵するディスプレイ（図示せず）に表示する等により、関連情報を外部に出力する（Ｓ２１５）。これにより、携帯電話機５００の利用者は、テレビ受信機４００に表示された映像に関連する情報を取得することができる。
【００６４】
このように、本実施例における情報提供システムでは、第１実施例と同様、テレビ受信機４００に表示された映像は、電子透かしＩＤにより特定され、更に、その特定された映像に関連する情報がホームサーバ４０２へ送られ、テレビ受信機４００により外部出力される。従って、携帯電話機５００の利用者は、テレビ受信機４００に表示された映像に関連する情報を取得することができ、映像に応じた様々な情報提供が可能となる。
【００６５】
なお、前述した実施形態では、携帯電話機５００がカメラ５０２による撮影により生成された撮影映像データから電子透かしＩＤを抽出したが、制御システム１００内の制御サ
ーバ１００が抽出するようにしても良い。この場合、携帯電話機５００は、撮影映像データを、基地局装置６００及び移動通信ネットワーク９００を介して制御サーバ１０２へ送信する。そして、制御サーバ１０２は、受信した撮影映像データから電子透かしＩＤを抽出して、要求情報の生成に用いる。
【００６６】
また、前述した実施形態では、顧客管理ＤＢ１０６内の顧客情報には、携帯電話機５００の利用者の氏名、住所、年齢及び性別が含まれているが、携帯電話機５００の利用者の職業、収入、嗜好、過去の行動履歴等の属性情報が含まれるようにしても良い。この場合、情報提供サーバ７００は、これらの属性に応じた関連情報を抽出し、携帯電話機５００やホームサーバ４０２へ送信する。
【００６７】
また、前述した実施形態では、要求情報に顧客情報、電子透かしＩＤ、地域コードが含まれているが、制御サーバ１０２が、予め情報提供サーバ７００における関連情報の分類の態様や、分類された各関連情報を認識しておくようにし、顧客管理ＤＢ１０６から抽出した顧客情報、受信した電子透かしＩＤ、基地局ＩＤ管理ＤＢ１１０から抽出した地域コードから関連情報を特定し、その特定した関連情報の識別情報を要求情報に含ませるようにしても良い。この場合、情報提供サーバ７００は、受信した要求情報に含まれる関連情報の識別情報により、抽出して送信すべき関連情報を特定することができる。
【００６８】
また、前述した実施形態では、テレビ受信機４００は、放送信号を受信し、その放送信号に含まれる映像データ応じた映像を表示したが、ＤＶＤやＣＤ−ＲＯＭ等の記録媒体に記録された電子透かしＩＤが埋め込まれた映像データを読み取り、その読み取った映像データに応じた表示を行う場合においても、本発明を適用することができる。
【００６９】
また、前述した実施形態では、電子透かし埋め込みサーバ２００が映像データにその映像データを識別するための電子透かし情報としての電子透かしＩＤを埋め込んだが、この電子透かし埋め込みサーバ２００の代わりに、映像データにその映像データを識別するための２次元バーコード（例えば、ＱＲコード）、１次元のバーコード等のコードシンボル等を埋め込む、情報埋め込みサーバを用いるようにしても良い。
【００７０】
上記情報提供システムにおいて、電子透かし埋め込みサーバ２００の代わりに、情報埋め込みサーバを組み込むことは、情報処理産業に携わる専門家であれば容易に想到しえることであるので、その詳細は省略する。
【００７１】
例えば、制御システム１００内の制御サーバ１０２が、コードシンボルで記述されたコードシンボルＩＤを表す情報を、通信ネットワーク８００を介して情報埋め込みサーバへ送信し、電子透かし埋め込みサーバ２００は、その受信した情報にしたがってコードシンボルで記述されたコードシンボルＩＤを放送番組やコマーシャル等の映像データに埋め込むようにすればよい。また、制御サーバ１０２は、コードシンボルＩＤを情報埋め込みサーバ２００へ送信した時に、その送信したコードシンボルＩＤを所定の管理ＤＢに登録すればよい。
【００７２】
また、上記実施形態では、電子透かしとして、主として不可視透かしを想定して説明したが、不可視透かしの変わりに可視透かしを用いてもよい。また、電子透かしに代えて、電子透かしと類似の技術、すなわち、画像の特徴量（標本値あるいはデータの周波数成分等）に情報を埋め込む他の技術を使用してもよい。また、動画を構成する複数のフレーム間に、コードシンボルまたは透かし情報を埋め込んだフレーム挿入するようにしてもよい。すなわち、本発明の実施は、電子透かし技術に限定されるものではない。
【００７３】
また、以上のような情報提供システムのいずれかの機能は、コンピュータプログラムに
より実現することができる。また、そのようなコンピュータプログラムをコンピュータが読み取り可能な記録媒体に記録してもよい。そして、そのような記録媒体に記録されたコンピュータプログラムをコンピュータに実行させることにより、上記情報提供システムとして機能させればよい。
【００７４】
ここで、コンピュータが読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、CD-ROM、CD-R/W、DVD、DAT、８mmテープ、メモリカード等がある。
【００７５】
また、コンピュータに固定された記録媒体としてハードディスクやＲＯＭ（リードオンリーメモリ）等がある。
【産業上の利用可能性】
【００７６】
以上のように、本発明にかかる情報提供システム、制御装置、情報提供制御方法及び情報提供制御プログラムは、映像に応じた様々な情報を提供するという効果を有し、情報提供システム等として有用である。
【図面の簡単な説明】
【００７７】
【図１】第１実施例における情報提供システムのブロック図
【図２】第１実施例における情報提供システムの動作のフローチャート
【図３】透かしＩＤ管理ＤＢの構成例を示す図
【図４】端末ＩＤ管理ＤＢの構成例を示す図
【図５】第１実施例における顧客管理ＤＢの構成例を示す図
【図６】基地局ＩＤ管理ＤＢの構成例を示す図
【図７】第１実施例における要求情報の構成例を示す図
【図８】第２実施例における情報提供システムのブロック図
【図９】第２実施例における情報提供システムの動作のフローチャート
【図１０】第２実施例における顧客管理ＤＢの構成例を示す図
【図１１】第２実施例における要求情報の構成例を示す図
【符号の説明】
【００７８】
１００  制御システム
１０２  制御サーバ
１０４  端末ＩＤ管理ＤＢ
１０６  顧客管理ＤＢ
１０８  透かしＩＤ管理ＤＢ
１１０  基地局ＩＤ管理ＤＢ
２００  電子透かし埋め込みサーバ
３００  放送装置
４００  テレビ受信機
４０２  ホームサーバ
５００  携帯電話機
５０２  カメラ
６００  基地局装置
７００  情報提供サーバ
８００  通信ネットワーク
９００  移動通信ネットワーク
【図１】
2005295136.tif 000003
【図２】
2005295136.tif 000004
【図３】
2005295136.tif 000005
【図４】
2005295136.tif 000006
【図５】
2005295136.tif 000007
【図６】
2005295136.tif 000008
【図７】
2005295136.tif 000009
【図８】
2005295136.tif 000010
【図９】
2005295136.tif 000011
【図１０】
2005295136.tif 000012
【図１１】
2005295136.tif 000013